(57)【要約】【課題】    簡易な手段で、封入する圧力を任意に調整できると共に、空気を封入したい部材の破裂を防止することができる空気封入用の接続用具を提供する。【解決手段】    空気封入用の接続用具Ａは、エアーを導く通路を備えたエアー通路１と、このエアー通路１の一端に設けられたエアー供給源からのエアー供給源側通路供給管に接続する接続用口２と、エアー通路１の他端に設けられ、エアー通路１内の空気を排出する第１の排出通路３と、この第１の排出通路３の手前側で分岐し、エアー通路１内の空気を排出する第２の排出通路４と、第１の排出通路３と第２の排出通路４の分岐した部位よりエアー通路１のエアー流れの上流側のエアー通路１の中途に設けられ、エアー通路１を開閉する開閉弁と、エアー通路１の前記開閉弁と接続用口２との間に設けられ、前記エアー供給源からのエアーの圧力を調整する調整弁６とを備えている。【選択図】図１
0003116871.tif 000002
【実用新案登録請求の範囲】
【請求項１】
エアーを導く通路を備えたエアー通路と、
このエアー通路の一端に設けられたエアー供給源からのエアー供給源側通路供給管に接続する接続用口と、
前記エアー通路の他端に設けられ、前記エアー通路内の空気を排出する第１の排出通路と、
この第１の排出通路の手前側で分岐し、前記エアー通路内の空気を排出する第２の排出通路と、
前記第１の排出通路と前記第２の排出通路の分岐した部位より前記エアー通路のエアー流れの上流側の前記エアー通路の中途に設けられ、前記エアー通路を開閉する開閉弁と、
前記エアー通路の前記開閉弁と前記接続用口との間に設けられ、前記エアー供給源からのエアーの圧力を調整する圧力調整弁と、
を備えていることを特徴とする空気封入用の接続用具。
【請求項２】
開閉弁はエアー通路に接続されるノズルガンのレバーで開閉するもので、
第１の排出通路は、直線状に形成され、前記第１の排出通路の排出口と反対側の端部は、前記ノズルガンの先端のノズルに接続され、直線状に形成された前記第１の排出通路の中途より分岐して第２の排出通路が形成されている
ことを特徴とする請求項１記載の空気封入用の接続用具。
【請求項３】
第２の排出通路の排出口に、前記第２の排出通路の排出口の大きさと異なる排出口を有する付属の排出通路を取り付ける
ことを特徴とする請求項１記載の空気封入用の接続用具。
【考案の詳細な説明】
【技術分野】
【０００１】
本考案は、空気封入用の接続用具に係り、特に、簡易な手段で、圧力調整弁を調整することにより、任意の封入圧力に調整できると共に、空気を封入したい部材の破裂を防止することができる空気封入用の接続用具に関する。
【背景技術】
【０００２】
従来、例えば、袋体内への空気の過剰供給を防いで、袋体の破裂を防止する袋体用空気封入装置がある（例えば、特許文献１参照）。
これは、先端部を袋体内に挿入可能で且つ袋体内へコンプレッサからの圧縮空気を供給するための供給管と、先端部を袋内に挿入可能で且つ袋体内の圧力を検出するための検出管と、前記供給管とコンプレッサとを結ぶ供給ライン途中に設けられた開閉弁と、前記検出管で検出された袋体内の圧力が設定値に達した際に作動する圧力スイッチと、前記供給ライン途中に設けられ且つ圧力スイッチの作動時に閉となる電磁弁とを必要としたものであり、性能的には良好であるが、装置が大がかりとなり、コストがかかるという問題点があった。
【０００３】
【特許文献１】実開平７−２４７０７号公報（図１）
【考案の開示】
【考案が解決しようとする課題】
【０００４】
本考案は、前記した問題点を除去するようにした空気封入用の接続用具を提供することを目的としている。
【課題を解決するための手段】
【０００５】
前記した目的を達成するための請求項１記載の空気封入用の接続用具は、エアーを導く通路を備えたエアー通路と、このエアー通路の一端に設けられたエアー供給源からのエアー供給源側通路供給管に接続する接続用口と、前記エアー通路の他端に設けられ、前記エアー通路内の空気を排出する第１の排出通路と、この第１の排出通路の手前側で分岐し、前記エアー通路内の空気を排出する第２の排出通路と、前記第１の排出通路と前記第２の排出通路の分岐した部位より前記エアー通路のエアー流れの上流側の前記エアー通路の中途に設けられ、前記エアー通路を開閉する開閉弁と、前記エアー通路の前記開閉弁と前記接続用口との間に設けられ、前記エアー供給源からのエアーの圧力を調整する圧力調整弁と、を備えているものである。
【０００６】
また、請求項２記載の空気封入用の接続用具は、請求項１記載の空気封入用の接続用具において、開閉弁はエアー通路に接続されるノズルガンのレバーで開閉するもので、第１の排出通路は、直線状に形成され、前記第１の排出通路の排出口と反対側の端部は、前記ノズルガンの先端のノズルに接続され、直線状に形成された前記第１の排出通路の中途より分岐して第２の排出通路が形成されているものである。
【０００７】
また、請求項３記載の空気封入用の接続用具は、請求項１記載の空気封入用の接続用具において、第２の排出通路の排出口に、前記第２の排出通路の排出口の大きさと異なる排出口を有する付属の排出通路を取り付けるものである。
【考案の効果】
【０００８】
請求項１記載の空気封入用の接続用具によれば、エアー供給源からのエアーはエアー通路を介して、第１の排出通路及び第２の排出通路から排出され、その際、第１の排出通路より空気を封入したい部材に空気を封入すれば、空気の封入に伴い、前記空気を封入したい部材内の圧力が高くなり、第１の排出通路よりの空気圧が前記空気を封入したい部材内の圧力と同等になると、前記部材内への空気の封入が停止され、その分、第２の排出通路からのエアーの排出が増加するため、簡易な手段で、空気を封入したい部材の破裂を防止することができる。
【０００９】
また、請求項２記載の空気封入用の接続用具によれば、直線状に形成された第１の排出通路の排出口と反対側の端部は、ノズルガンの先端のノズルに接続されているため、第２の排出通路に比較し抵抗を受けず、空気を封入したい部材に空気を封入することができ、第１の排出通路よりの空気圧が前記空気を封入したい部材内の圧力と同等になると、前記部材内への空気の封入が停止され、その分、第２の排出通路からのエアーの排出が増加するため、簡易な手段で、空気を封入したい部材の破裂を防止することができる。
【００１０】
また、請求項３記載の空気封入用の接続用具によれば、上記請求項１記載の考案の効果に加え、第２の排出通路の排出口に、前記第２の排出通路の排出口の大きさと異なる排出口を有する付属の排出通路を取り付けることにより、空気を封入したい部材内の封入圧力を広範囲に可変とすることができる。
【考案を実施するための最良の形態】
【００１１】
本考案の一実施例の空気封入用の接続用具を図面を参照して説明する。
図１乃至図３において、Ａは空気封入用の接続用具で、空気封入用の接続用具Ａは、エアー供給源からのエアー供給源側通路供給管（図示せず）に接続して、空気を封入したい部材１０に空気を封入するものである。
【００１２】
空気封入用の接続用具Ａは、エアーを導く通路を備えたエアー通路１と、このエアー通路１の一端に設けられたエアー供給源からのエアー供給源側通路供給管（図示せず）に接続する接続用口２と、エアー通路１の他端に設けられ、エアー通路１内の空気を排出する第１の排出通路３と、この第１の排出通路３の手前側で分岐し、エアー通路１内の空気を排出する第２の排出通路４と、第１の排出通路３と第２の排出通路４の分岐した部位Ｘ（図１参照）よりエアー通路１のエアー流れの上流側のエアー通路１の中途に設けられ、エアー通路１を開閉する開閉弁（図示せず）と、エアー通路１の開閉弁（図示せず）と接続用口２との間に設けられ、エアー供給源（図示せず）からのエアーの圧力を調整する調整弁６とを備えている。
【００１３】
開閉弁（図示せず）は、例えば、エアー通路１に接続されるノズルガン５のレバー５１で開閉するものである。また、第１の排出通路３は、図１及び図２に示すように、直線状に形成され、第１の排出通路３の排出口３１と反対側の端部３２は、ノズルガン５の先端のノズル（接続部材７を接続した状態では、接続部材７がノズルガン５の先端のノズルとなる。）に接続され、直線状に形成された第１の排出通路３の中途より分岐して第２の排出通路４が形成され、第１の排出通路３と第２の排出通路４は、例えば、略逆Ｔ字形状に形成されている。
なお、本実施例では、第１の排出通路３と第２の排出通路４は、略逆Ｔ字形状に形成されているが、本考案にあっては、略逆Ｔ字形状等の形状にとらわれないことは勿論のことで、要は、第１の排出通路３とは別個に第２の排出通路４があれば良い。
【００１４】
従って、空気封入用の接続用具Ａを図３（ａ）に示すように、空気を封入したい部材１０内に第１の排出通路３の先端を挿入し、ノズルガン５のレバー５１を反時計回りに回動すれば、エアー供給源からのエアーはエアー通路１を介して、第１の排出通路３及び第２の排出通路４から排出され、空気を封入したい部材１０内の空気の封入に伴い[図３（ｂ）］、空気を封入したい部材１０内の圧力が高くなり、第１の排出通路３よりの空気圧が空気を封入したい部材１０内の圧力と同等になると、部材１０内への空気の封入が停止され、その分、第２の排出通路４からのエアーの排出が増加するため、簡易な手段で、任意の封入圧力に調整でき、空気を封入したい部材１０の破裂を防止することができる。
【００１５】
また、図２に示す第２の排出通路４の排出口の大きさ（例えば、第２の排出通路４の排出口の径Ｄは、５mm）を、第１の排出通路３の排出口の大きさ（例えば、第１の排出通路３の排出通路４の排出口の径ｄは、２mm）より大となっている。これは、第２の排出通路４の排出口からの排出の抵抗を少なくして、空気を封入したい部材１０の破裂をより防止するためである。
【００１６】
また、直線状に形成された第１の排出通路３の排出口と反対側の端部は、ノズルガン５の先端のノズルに接続されているため、第２の排出通路４に比較し抵抗を受けず、空気を封入したい部材１０に空気を封入することができ、第１の排出通路３よりの空気圧が前記空気を封入したい部材１０内の圧力と同等になると、部材１０内への空気の封入が停止され、その分、第２の排出通路４からのエアーの排出が増加するため、簡易な手段で、空気を封入したい部材１０の破裂を防止することができる。
【００１７】
なお、実験結果によれば、調整弁６でエアーの圧力を０．２０MPaに減圧し、第１の排出通路３の排出口の大きさを孔径２mm、第２の排出通路４の排出口の大きさを孔径５mmとした場合、空気を封入したい部材１０内の圧力が３．２KPa、調整弁６でエアーの圧力を０．１MPaに減圧し、第１の排出通路３の排出口の大きさを孔径２mm、第２の排出通路４の排出口の大きさを孔径５mmとした場合、空気を封入したい部材１０内の圧力が０．８KPa、調整弁６でエアーの圧力を０．４MPaに減圧し、第１の排出通路３の排出口の大きさを孔径２mm、第２の排出通路４の排出口の大きさを孔径５mmとした場合、空気を封入したい部材１０内の圧力が１２．５KPa、にそれぞれ達すると、部材１０内への空気の注入が停止した。
従って、空気を封入したい部材１０の強度に応じて、調整弁６でエアーの圧力、第１の排出通路３の排出口の大きさ、第２の排出通路４の排出口の大きさを適宜調整するようにすれば良い。
【００１８】
なお、上述した実施例では、空気を封入したい部材１０の強度に応じて、調整弁６でエアーの圧力、第１の排出通路３の排出口の大きさ、第２の排出通路４の排出口の大きさを適宜調整することができるが、これに加えて、第２の排出通路４の排出口に、第２の排出通路４の排出口の大きさと異なる排出口を有する付属の排出通路８を取り付けるようにしても良い。
即ち、付属の排出通路８の取り付けは、第２の排出通路４の排出口の内壁に設けた雌ネジに付属の排出通路８の外壁に設けた雄ねじを螺合することにより行う。図４は、第２の排出通路４の排出口の大きさ（第２の排出通路４の排出口の径Ｄは、５mm）より小さい排出口を有する付属の排出通路８で、例えば、排出通路８の排出口の径Ｄ’は、４mmで、図５は、第２の排出通路４の排出口の大きさより小さい排出口を有する付属の排出通路８’で、例えば、排出通路８の排出口の径Ｄ”は、３mmである。
【００１９】
なお、実験結果によれば、調整弁６でエアーの圧力を０．２０MPaに減圧し、第１の排出通路３の排出口の大きさを孔径２mm、第２の排出通路４の排出口の大きさを孔径４mmとした場合、空気を封入したい部材１０内の圧力が８．９KPa、調整弁６でエアーの圧力を０．１MPaに減圧し、第１の排出通路３の排出口の大きさを孔径２mm、第２の排出通路４の排出口の大きさを孔径４mmとした場合、空気を封入したい部材１０内の圧力が２．０KPa、調整弁６でエアーの圧力を０．４MPaに減圧し、第１の排出通路３の排出口の大きさを孔径２mm、第２の排出通路４の排出口の大きさを孔径４mmとした場合、空気を封入したい部材１０内の圧力が３２．２KPa、にそれぞれ達すると、部材１０内への空気の注入が停止した。
【００２０】
また、調整弁６でエアーの圧力を０．２０MPaに減圧し、第１の排出通路３の排出口の大きさを孔径２mm、第２の排出通路４の排出口の大きさを孔径３mmとした場合、空気を封入したい部材１０内の圧力が１８．４KPa、調整弁６でエアーの圧力を０．１MPaに減圧し、第１の排出通路３の排出口の大きさを孔径２mm、第２の排出通路４の排出口の大きさを孔径３mmとした場合、空気を封入したい部材１０内の圧力が４．２KPa、にそれぞれ達すると、部材１０内への空気の注入が停止した。
【図面の簡単な説明】
【００２１】
【図１】図１は、本考案の一実施例である空気封入用の接続用具の概略的構成図である。
【図２】図２は、図１の要部の概略的断面図である。
【図３】図３は、図１の空気封入用の接続用具の動作説明図で、（ａ）は開閉弁が閉じている状態を、（ｂ）は開閉弁を開いて空気を封入したい部材へ空気を封入している状態を、（ｃ）は開閉弁を開いて空気を封入したい部材へ空気を封入し、第１の排出通路よりの空気圧が前記空気を封入したい部材内の圧力と同等になっている状態を、それぞれ示している。
【図４】図４は、第２の排出通路の排出口に、前記第２の排出通路の排出口の大きさと異なる排出口を有する付属の排出通路を取り付けた状態の概略的断面図である。
【図５】図５は、図４と異なる付属の排出通路を取り付けた状態の概略的断面図である。
【符号の説明】
【００２２】
Ａ    …………空気封入用の接続用具
１    …………エアー通路
２    …………接続用口
３    …………第１の排出通路
４    …………第２の排出通路
６    …………調整弁
【図１】
0003116871.tif 000003
【図２】
0003116871.tif 000004
【図３】
0003116871.tif 000005
【図４】
0003116871.tif 000006
【図５】
0003116871.tif 000007